(57)【要約】【課題】バネ部材にフランジ部を設けることなく、バネ部材を所定の姿勢に保持する。【解決手段】バネ部材（46）は、基台部（50）から第１ローラ（44）の長手方向の両端部へ向けて延伸して第１ローラ（44）を押圧する第１および第２押圧部（51,52）と、長手方向の中央部が基台部（50）に連結された第１および第２支持部（53,54）とを有している。保持部（70）は、バネ部材（46）の押圧力に応じた反力により押圧方向の反対側に付勢されるバネ部材（46）の第１支持部（53）の長手方向の一方側部分および他方側部分を受け止める第１および第２保持突出部（73a,73b）と、バネ部材（46）の押圧力に応じた反力により押圧方向の反対側に付勢されるバネ部材（46）の第２支持部（54）の長手方向の一方側部分および他方側部分を受け止める第３および第４保持突出部（73c,73d）とを有している。【選択図】図８
2018180121.tif 000002
【特許請求の範囲】
【請求項１】
インスタントフィルムに画像を形成する画像形成装置であって、
それぞれの間に前記インスタントフィルムを挟持して回転することにより該インスタントフィルムを搬送する第１および第２ローラと、
前記第１ローラから前記第２ローラへ向かう押圧方向において該第１ローラの後方に配置されて該第１ローラを該第２ローラ側に押し付けるバネ部材と、
前記バネ部材を保持する保持部とを備え、
前記バネ部材は、
前記押圧方向において前記第１ローラの長手方向の中央部と対向する基台部と、
それぞれが前記基台部から該第１ローラの長手方向の両端部へ向けて延伸する板状に形成されて該第１ローラを押圧する第１および第２押圧部と、
それぞれが前記押圧方向に見た場合に前記基台部の幅方向の両隣に配置されて該基台部の幅方向と直交する方向に沿うように延伸する板状に形成され、それぞれの板面が該基台部の幅方向において互いに対向し、それぞれの長手方向の中央部が該基台部に連結された第１および第２支持部とを有し、
前記保持部は、
それぞれの間に間隔をおいて対向するように設けられ、前記バネ部材の第１および第２支持部の外方にそれぞれ位置するようにそれぞれの間に該バネ部材が配置される第１および第２側壁部と、
前記第１および第２側壁部の間に配置された前記バネ部材の第１支持部の長手方向の一方側部分および他方側部分の前記押圧方向における後方にそれぞれ位置するように該第１側壁部に突設され、該バネ部材の押圧力に応じた反力により該押圧方向の反対側に付勢される該バネ部材の第１支持部の長手方向の一方側部分および他方側部分をそれぞれ受け止める第１および第２保持突出部と、
前記第１および第２側壁部の間に配置された前記バネ部材の第２支持部の長手方向の一方側部分および他方側部分の前記押圧方向における後方にそれぞれ位置するように該第２側壁部に突設され、該バネ部材の押圧力に応じた反力により該押圧方向の反対側に付勢される該バネ部材の第２支持部の長手方向の一方側部分および他方側部分をそれぞれ受け止める第３および第４保持突出部とを有している
ことを特徴とする画像形成装置。
【請求項２】
請求項１において、
前記第１〜第４保持突出部の各々は、前記押圧方向における該保持突出部の後端部に設けられて該押圧方向の後方から前方へ向けて前記第１および第２側壁部の対向方向の内側に傾斜する案内面を有している
ことを特徴とする画像形成装置。
【請求項３】
請求項１または２において、
前記保持部は、
前記第１および第２側壁部の間に配置された前記バネ部材の第１支持部の長手方向の一方側部分および他方側部分の前記押圧方向における前方にそれぞれ設けられる第１および第２規制部と、
前記第１および第２側壁部の間に配置された前記バネ部材の第２支持部の長手方向の一方側部分および他方側部分の前記押圧方向における前方にそれぞれ設けられる第３および第４規制部とを有している
ことを特徴とする画像形成装置。
【請求項４】
請求項１〜３のいずれか１項において、
前記第１および第２側壁部には、複数の補助開口が設けられ、
前記複数の補助開口は、それぞれが前記第１および第２側壁部の間に配置された前記バネ部材の第１または第２支持部の長手方向の端部に対応する位置に形成されている
ことを特徴とする画像形成装置。
【発明の詳細な説明】
【技術分野】
【０００１】
ここに開示する技術は、画像形成装置に関する。
【背景技術】
【０００２】
従来、インスタントフィルムに画像を形成する画像形成装置が知られている。例えば、特許文献１には、インスタントフィルムの露光面状に現像液を展開させながらインスタントフィルムを搬送する一対のローラと、その一対のローラのうち一方を他方に押し付けるための押圧機構とを備えたインスタントフィルムの展開搬送装置が設けられたプリンタが開示されている。この押圧機構は、ローラの両端部に摺接するローラ押さえと、ローラ押さえに当接してローラに押圧力を与えるアーム部および取り付け部を有するバネと、バネの取り付け部を介してバネが取り付けられる保持部材とから構成されている。
【先行技術文献】
【特許文献】
【０００３】
【特許文献１】特開２００７−２２５６６８号公報
【発明の概要】
【発明が解決しようとする課題】
【０００４】
ところで、特許文献１のような画像形成装置では、ローラに押圧力を与えるバネが２つの保持部材に取り付けられてバネ部材（一対のローラのうち一方を他方に押し付けるためのバネ部材）が構成されている。また、２つの保持部材の長手方向の両端部（全部で４つの端部）には、それぞれフランジ部が設けられている。これらのフランジ部は、その板面が押圧方向（押圧力が作用する方向）と直交する平板状に形成され、保持部材の長手方向と直交する方向において保持部材の長手方向の端部から外方へ向けて突出している。そして、バネ部材を保持するための２つの側壁部（例えば筐体の側壁部）に設けられた開口（全部で４つの開口）にこれらのフランジ部をそれぞれ挿入することにより、バネ部材を所定の姿勢に保持している。
【０００５】
しかしながら、上記のような構成では、バネ部材に設けられたフランジ部の屈曲量（保持部材とフランジ部との間の角度）が変化してバネ部材を所定の姿勢に維持することが困難となる可能性がある。例えば、画像形成装置のメンテナンスなどの目的のためにバネ部材の取り外し動作（または取り付け動作）を行う際に、バネ部材に設けられたフランジ部が変形してフランジ部の屈曲量が変化すると、バネ部材がローラに対して傾いた状態（所定の姿勢からずれた姿勢）で保持され、その結果、適切な押圧力を得ることができない可能性がある。
【０００６】
そこで、ここに開示する技術は、バネ部材にフランジ部を設けることなく、バネ部材を所定の姿勢に保持することが可能な画像形成装置を提供することを目的とする。
【課題を解決するための手段】
【０００７】
ここに開示する技術は、インスタントフィルムに画像を形成する画像形成装置に関し、この画像形成装置は、それぞれの間に前記インスタントフィルムを挟持して回転することにより該インスタントフィルムを搬送する第１および第２ローラと、前記第１ローラから前記第２ローラへ向かう押圧方向において該第１ローラの後方に配置されて該第１ローラを該第２ローラ側に押し付けるバネ部材と、前記バネ部材を保持する保持部とを備えている。前記バネ部材は、前記押圧方向において前記第１ローラの長手方向の中央部と対向する基台部と、それぞれが前記基台部から該第１ローラの長手方向の両端部へ向けて延伸する板状に形成されて該第１ローラを押圧する第１および第２押圧部と、それぞれが前記押圧方向に見た場合に前記基台部の幅方向の両隣に配置されて該基台部の幅方向と直交する方向に沿うように延伸する板状に形成され、それぞれの板面が該基台部の幅方向において互いに対向し、それぞれの長手方向の中央部が該基台部に連結された第１および第２支持部とを有している。前記保持部は、それぞれの間に間隔をおいて対向するように設けられ、前記バネ部材の第１および第２支持部の外方にそれぞれ位置するようにそれぞれの間に該バネ部材が配置される第１および第２側壁部と、前記第１および第２側壁部の間に配置された前記バネ部材の第１支持部の長手方向の一方側部分および他方側部分の前記押圧方向における後方にそれぞれ位置するように該第１側壁部に突設され、該バネ部材の押圧力に応じた反力により該押圧方向の反対側に付勢される該バネ部材の第１支持部の長手方向の一方側部分および他方側部分をそれぞれ受け止める第１および第２保持突出部と、前記第１および第２側壁部の間に配置された前記バネ部材の第２支持部の長手方向の一方側部分および他方側部分の前記押圧方向における後方にそれぞれ位置するように該第２側壁部に突設され、該バネ部材の押圧力に応じた反力により該押圧方向の反対側に付勢される該バネ部材の第２支持部の長手方向の一方側部分および他方側部分をそれぞれ受け止める第３および第４保持突出部とを有している。
【０００８】
前記の構成では、複数の保持突出部（第１〜第４保持突出部）を設けることにより、バネ部材の押圧力に応じた反力により押圧方向の反対側に付勢されるバネ部材の第１および第２支持部を複数の保持突出部に受け止めさせて、バネ部材を所定の姿勢に保持することができる。これにより、バネ部材にフランジ部（バネ部材の姿勢を保持するためのフランジ部）を設けることなく、バネ部材を所定の姿勢に保持することができる。
【０００９】
前記第１〜第４保持突出部の各々は、前記押圧方向における該保持突出部の後端部に設けられて該押圧方向の後方から前方へ向けて前記第１および第２側壁部の対向方向の内側に傾斜する案内面を有していてもよい。
【００１０】
前記の構成では、複数の保持突出部（第１〜第４保持突出部）に案内面を設けることにより、バネ部材の取り付け動作（バネ部材を保持部に取り付ける動作）においてバネ部材の第１および第２支持部を複数の保持突出部の案内面に押し当てながらバネ部材を押圧方向に進ませて、バネ部材の第１および第２支持部の長手方向の両端部を内側（第１および第２側壁部の対向方向の内側）に撓ませることができる。これにより、バネ部材の取り付け動作を容易に行うことができる。
【００１１】
前記保持部は、前記第１および第２側壁部の間に配置された前記バネ部材の第１支持部の長手方向の一方側部分および他方側部分の前記押圧方向における前方にそれぞれ設けられる第１および第２規制部と、前記第１および第２側壁部の間に配置された前記バネ部材の第２支持部の長手方向の一方側部分および他方側部分の前記押圧方向における前方にそれぞれ設けられる第３および第４規制部とを有していてもよい。
【００１２】
前記の構成では、複数の規制部（第１〜第４規制部）を設けることにより、バネ部材の取り付け動作において所定の保持位置よりも押圧方向における前方に移動するバネ部材の第１および第２支持部を複数の規制部に受け止めさせて、バネ部材の押圧方向への過剰な押し込みを防止することができる。これにより、バネ部材の押圧方向への過剰な押し込みによるバネ部材の塑性変形を防止することができる。
【００１３】
また、前記の構成では、インスタントフィルムの搬送中（すなわち第１および第２ローラの回転中）においてバネ部材の第１および第２支持部の長手方向の一方側部分（または他方側部分）が所定の保持位置よりも押圧方向における前方に移動する方向にバネ部材が傾いた場合に、所定の保持位置よりも押圧方向における前方に移動するバネ部材の第１および第２支持部の長手方向の一方側部分（または他方側部分）を第１および第３規制部（または第２および第４規制部）に受け止めさせて、バネ部材の過剰な傾きを防止することができる。これにより、インスタントフィルムの搬送中におけるバネ部材の姿勢の乱れを低減することができ、バネ部材の姿勢の乱れによるバネ部材の押圧力の変動を低減することができる。
【００１４】
前記第１および第２側壁部には、複数の補助開口が設けられていてもよい。そして、前記複数の補助開口は、それぞれが前記第１および第２側壁部の間に配置された前記バネ部材の第１または第２支持部の長手方向の端部に対応する位置に形成されていてもよい。
【００１５】
前記の構成では、第１および第２側壁部に複数の補助開口を設けることにより、バネ部材の取り外し動作（保持部からバネ部材を取り外す動作）において棒状の治具などの押圧部材を補助開口に挿入してバネ部材の第１および第２支持部の長手方向の端部を内側（第１側壁部と第２側壁部の対向方向の内側）に押圧することができる。これにより、バネ部材の第１および第２支持部の長手方向の一方側部分および他方側部分が保持突出部よりも内側に位置するようにバネ部材の第１および第２支持部の長手方向の端部を内側に撓ませることができる。そのため、バネ部材の取り外し動作を容易に行うことができる。
【発明の効果】
【００１６】
ここに開示する技術によれば、バネ部材にフランジ部を設けることなく、バネ部材を所定の姿勢に保持することができる。
【図面の簡単な説明】
【００１７】
【図１】実施形態による画像形成装置の構成を例示する斜視図である。
【図２】実施形態による画像形成装置の構成を例示する断面図である。
【図３】インスタントフィルムの構成を例示する断面図である。
【図４】画像形成機構の構成を例示する概略図である。
【図５】画像形成装置の要部の構成を例示する斜視図である。
【図６】画像形成装置の要部の構成を例示する分解斜視図である。
【図７】バネ部材の構成を例示する図である。
【図８】画像形成装置の要部の構成を例示する斜視図である。
【図９】画像形成装置の要部の構成を例示する断面斜視図である。
【図１０】画像形成装置の要部の構成を例示する断面斜視図である。
【図１１】画像形成装置の比較例の構成を例示する斜視図である。
【発明を実施するための形態】
【００１８】
以下、実施の形態を図面を参照して詳しく説明する。なお、図中同一または相当部分には同一の符号を付しその説明は繰り返さない。
【００１９】
（画像形成装置）
図１，図２は、実施形態による画像形成装置１０の構成を例示している。この画像形成装置１０は、インスタントフィルム２０を収納するフィルムカセット３０が装填されてフィルムカセット３０から繰り出されたインスタントフィルム２０に画像を形成するように構成されている。この例では、画像形成装置１０は、小型のプリンタを構成している。
【００２０】
なお、以下の説明において、「上」「下」「左」「右」「前」「後」は、画像形成装置１０の前端部（この例ではインスタントフィルム２０を送り出す部分）を正面にして見た場合の方向を示している。また、この例では、画像形成装置１０におけるインスタントフィルム２０の繰出方向は、後方から前方へ向かう方向となっている。また、画像形成装置１０には、画像形成装置１０の動作を制御するための部品（例えばＣＰＵやメモリなどの制御系の部品や電池などの電源系の部品など）が搭載されているが、ここでは、その説明を省略している。
【００２１】
〔インスタントフィルム〕
図３は、インスタントフィルム２０の構成を例示している。インスタントフィルム２０は、感光シート２１と、現像液ポッド２２と、トラップ材２３と、カバーシート２４と、マスクシート２５とを有している。
【００２２】
感光シート２１は、一方の面が露光面２１ａとなり、他方の面が観察面２１ｂとなっている。また、感光シート２１は、露光面２１ａ側から順に感光層と拡散反射層と受像層とが積層されて構成されている。感光層は、潜像が記録される層であり、受像層は、ポジ像が転写される層であり、拡散反射層は、感光像に記録された潜像をポジ像として受像層に転写するための層である。現像液ポッド２２は、袋状に形成され、その内部に現像処理液が封入されている。トラップ材２３は、現像処理液を吸収して捕捉するように構成されている。カバーシート２４は、透明性を有している。マスクシート２５は、プラスチック材料により構成され、その長手方向の中央部に開口２５ａが設けられている。
【００２３】
マスクシート２５の開口２５ａは、露光範囲を規制するマスクを構成している。感光シート２１は、その幅方向の長さがマスクシート２５の幅方向の長さと同一に形成され、マスクシート２５の開口２５ａに対して中心合わせでマスクシート２５の裏面に貼着されている。感光シート２１の裏側（露光面２１ａ側）には、マスクシート２５の開口２５ａの長手方向の両側に現像液ポッド２２とトラップ材２３とが接着剤によって固着され、現像液ポッド２２とトラップ材２３との間にカバーシート２４が配置されている。マスクシート２５の長手方向の両端部は、現像液ポッド２２とトラップ材２３とをそれぞれ包み込むように折り返してカバーシート２４の裏面に接着剤によって固着される。
【００２４】
画像形成装置１０では、現像液ポッド２２側が前側となりトラップ材２３側が後側となるようにインスタントフィルム２０が搬送される。そして、現像液ポッド２２が裂開されると、感光シート２１とカバーシート２４との間に現像処理液が展開され、感光シート２１の感光層に記録された潜像が拡散反射層を通して感光シート２１の受像層にポジ像として転写される。受像層に転写された像は、観察面２１ｂからポジ像として観察される。なお、感光シート２１の幅方向の両縁部には、スペーサ（図示を省略）が接着され、これらのスペーサには、カバーシート２４の幅方向の両縁部が接着されている。このような構成により、感光シート２１とカバーシート２４との間に一定の隙間に確保され、現像液ポッド２２から流出する現像処理液がこの隙間に均等に展開される。現像処理で余剰となった現像処理液は、トラップ材２３により吸収されて捕捉される。
【００２５】
（フィルムカセット）
図２に示すように、フィルムカセット３０は、上下方向に扁平な直方体型の箱状に形成され、その内部に複数枚のインスタントフィルム２０を積層して収納している。具体的には、画像形成装置１０におけるインスタントフィルム２０の繰出方向（以下「フィルム繰出方向」と記載）において現像液ポッド２２側が下流側（先頭側）となりカバーシート２４側（感光シート２１の露光面２１ａ側）がフィルムカセット３０の底壁部側となるように、フィルムカセット３０において複数枚のインスタントフィルム２０が積層されて収納されている。フィルムカセット３０は、例えば、遮光性および弾性を有するプラスチック材料によって構成されている。
【００２６】
フィルムカセット３０の４つの側壁部のうちフィルム繰出方向の下流側に位置する側壁部（この例では前壁部）の底壁部側の部分には、フィルムカセット３０からインスタントフィルム２０を１枚ずつ繰り出すための繰出口３１が設けられている。
【００２７】
フィルムカセット３０の底壁部には、押出スリット（図示を省略）が設けられている。押出スリットは、フィルム繰出方向に延びる細長い矩形状に形成され、後述する押出部材１９が挿入されて押出部材１９がフィルム繰出方向に移動可能となるように構成されている。この例では、押出スリットは、フィルムカセット３０の左後部に配置されている。
【００２８】
（画像形成装置の構成）
図１，図２に示すように、画像形成装置１０は、本体部１１と、蓋部１２と、ヒンジ部１３とを備えている。本体部１１と蓋部１２とヒンジ部１３は、例えば、樹脂によって構成されている。本体部１１は、上下方向に扁平な直方体状に形成されている。本体部１１には、収納室１６と、機構保持部１７と、送出口１８とが設けられている。蓋部１２は、収納室１６の開口を開閉するように構成されている。ヒンジ部１３は、本体部１１に対して蓋部１２を開閉可能に連結するように構成されている。
【００２９】
〔収納室〕
収納室１６は、フィルムカセット３０の外形に対応する矩形状に形成されてフィルムカセット３０が嵌め込まれるように構成されている。この例では、収納室１６は、底壁部と４つの側壁部（具体的には前壁部と後壁部と右壁部と左壁部）とによって構成されている。また、この例では、収納室１６の前壁部と後壁部がフィルム繰出方向の上流側と下流側（後側と前側）にそれぞれ位置している。すなわち、この例では、収納室１６に嵌め込まれたフィルムカセット３０からインスタントフィルム２０が繰り出される方向（フィルム繰出方向）は、収納室１６の後壁部から前壁部へ向かう方向となっている。
【００３０】
なお、収納室１６と機構保持部１７とを隔てる収納室１６の側壁部（この例では前壁部）には、収納室１６に装填されたフィルムカセット３０から繰り出されたインスタントフィルム２０を機構保持部１７に送るための連通口１６ａ（収納室１６の前壁部をフィルム繰出方向に貫通してフィルムカセット３０の繰出口３１と機構保持部１７とを連通させる開口）が設けられている。
【００３１】
〈押出部材〉
収納室１６の底壁部には、押出部材１９が設けられている。この例では、押出部材１９は、収納室１６の底壁部の左後部に設けられている。押出部材１９は、収納室１６内に進出し、収納室１６に装填されたフィルムカセット３０に収納された１枚のインスタントフィルム２０の後端部（フィルム繰出方向における上流側の端部）に係合してインスタントフィルム２０をフィルムカセット３０から繰り出すように構成されている。具体的には、押出部材１９は、収納室１６に装填されたフィルムカセット３０に設けられた押出スリット（図示を省略）に進入してフィルム搬送方向に移動するように構成されている。また、押出部材１９は、フィルムカセット３０に収納されている１枚のインスタントフィルム２０の後端部（トラップ材２３側の端部）に引っ掛けることが可能な鉤部を有し、その鉤部がインスタントフィルム２０の後縁部に引っ掛けられた状態でフィルム繰出方向に前進することにより、フィルムカセット３０からインスタントフィルム２０を繰り出すように構成されている。フィルムカセット３０の繰出口３１から繰り出されたインスタントフィルム２０は、収納室１６の連通口１６ａを通過して後述する画像形成機構４０に取り込まれる。
【００３２】
〔機構保持部〕
機構保持部１７は、フィルム繰出方向において収納室１６の下流側に配置されている。機構保持部１７には、画像形成機構４０が保持されている。
【００３３】
〈画像形成機構〉
画像形成機構４０は、収納室１６に装填されたフィルムカセット３０から繰り出されたインスタントフィルム２０を取り込み、そのインスタントフィルム２０に画像を形成するように構成されている。
【００３４】
図４に示すように、画像形成機構４０は、光ヘッド４００と、第１搬送ローラ４１と、第２搬送ローラ４２と、搬送側バネ部材４３と、第１展開ローラ４４と、第２展開ローラ４５と、展開側バネ部材４６とを有している。画像形成機構４０では、フィルム繰出方向の上流側から下流側へ向けて光ヘッド４００と搬送ローラ（第１搬送ローラ４１と第２搬送ローラ４２）と展開ローラ（第１展開ローラ４４と第２展開ローラ４５）とが順に配置されている。そして、第１搬送ローラ４１と第２搬送ローラ４２と第１展開ローラ４４と第２展開ローラ４５は、モータ（図示を省略）によって駆動される。
【００３５】
《光ヘッド》
光ヘッド４００は、画像形成機構４０に取り込まれたインスタントフィルム２０の感光シート２１の露光面２１ａに対して画像光を照射して感光シート２１に潜像を記録するように構成されている。例えば、光ヘッド４００は、メモリなどの記憶部（図示を省略）に記憶された画像データに応じた画像光を照射するように構成されている。
【００３６】
《第１および第２搬送ローラと搬送側バネ部材》
第１搬送ローラ４１と第２搬送ローラ４２は、画像形成機構４０に取り込まれたインスタントフィルム２０の幅方向の両縁部を挟持して回転することにより、インスタントフィルム２０を第１展開ローラ４４と第２展開ローラ４５へ向けて搬送するように構成されている。搬送側バネ部材４３は、第１搬送ローラ４１から第２搬送ローラ４２へ向かう押圧方向（この例では上下方向）において第１搬送ローラ４１の後方に配置されて第１搬送ローラ４１を第２搬送ローラ４２側に押し付けるように構成されている。
【００３７】
《第１および第２展開ローラと展開側バネ部材》
第１展開ローラ４４と第２展開ローラ４５（第１ローラと第２ローラ）は、第１搬送ローラ４１と第２搬送ローラ４２から搬送されてきたインスタントフィルム２０を幅方向の全長に渡って挟持して回転することにより、インスタントフィルム２０を搬送しながら、インスタントフィルム２０の現像液ポッド２２を裂開させて現像液を感光シート２１とカバーシート２４との間の隙間に展開させるように構成されている。これにより、感光シート２１の感光層に記録された潜像が拡散反射層を通してポジ像として受像層に転写され、インスタントフィルム２０に画像が形成される。展開側バネ部材４６は、第１展開ローラ４４から第２展開ローラ４５へ向かう押圧方向（この例では上下方向）において第１展開ローラ４４の後方に配置されて第１展開ローラ４４を第２展開ローラ４５側に押し付けるように構成されている。
【００３８】
〔送出口〕
送出口１８は、フィルム繰出方向において機構保持部１７の下流側に配置されている。なお、送出口１８は、機構保持部１７に保持されている画像形成機構４０において画像が形成されたインスタントフィルム２０を１枚ずつ送り出すために設けられている。この例では、送出口１８は、本体部１１の前端部に設けられている。
【００３９】
〔機構保持部および画像形成機構の詳細〕
次に、図５〜図１０を参照して機構保持部１７および画像形成機構４０について詳しく説明する。機構保持部１７は、搬送側保持部６０と、展開側保持部７０とを有している。搬送側保持部６０は、第１搬送ローラ４１と、第２搬送ローラ４２と、搬送側バネ部材４３とを保持するように構成されている。展開側保持部７０は、第１展開ローラ４４と、第２展開ローラ４５と、展開側バネ部材４６と、スペーサ４７と、２つの押さえ部材４８とを保持するように構成されている。
【００４０】
なお、図７の上部は、押圧方向に見た展開側バネ部材４６を示した平面図に相当し、図７の下部は、図７の上部のＡ−Ａ線における展開側バネ部材４６の断面を示した断面図に相当する。図８は、展開側バネ部材４６と展開側保持部７０を示した斜視図であり、展開側バネ部材４６の一部と展開側保持部７０の一部が切り欠かれている。図９は、図７の上部のＢ−Ｂ線における断面に対応する断面図であり、図１０は、図７の上部のＣ−Ｃ線における断面に対応する断面図である。また、以下の説明では、展開側バネ部材４６を「バネ部材４６」と記載し、展開側保持部７０を「保持部７０」と記載する。
【００４１】
〔バネ部材〕
バネ部材４６は、基台部５０と、第１押圧部５１と、第２押圧部５２と、第１支持部５３と、第２支持部５４とを有している。この例では、基台部５０と第１押圧部５１と第２押圧部５２と第１支持部５３と第２支持部５４とが一体に形成されている。例えば、バネ部材４６は、鉄や銅などの金属によって構成されている。なお、以下の説明において、バネ部材４６の各部の位置および向きは、バネ部材４６が保持部７０に保持されている状態であるときのバネ部材４６の各部の位置および向きを示している。
【００４２】
〈基台部〉
基台部５０は、押圧方向において第１展開ローラ４４の長手方向の中央部と対向している。この例では、基台部５０は、矩形の板状に形成され、その板面が押圧方向（この例では上下方向）において第１展開ローラ４４の長手方向（この例では左右方向）の中央部と対向するように配置されている。
【００４３】
〈押圧部〉
第１押圧部５１および第２押圧部５２は、基台部５０から第１展開ローラ４４の長手方向の両端部へ向けてそれぞれ延伸している。そして、第１押圧部５１および第２押圧部５２は、第１展開ローラ４４を押圧するように構成されている。
【００４４】
この例では、第１押圧部５１は、押圧方向（この例では上下方向）に見た場合に第１展開ローラ４４の長手方向（この例では左右方向）に沿うように基台部５０から第１展開ローラ４４の長手方向の一端部（この例では右端部）へ向けて延伸する板状に形成され、その板面（この例では下面）が第１展開ローラ４４と対向するように配置されている。そして、第１押圧部５１は、基台部５０から第１展開ローラ４４の長手方向の一端部へ向けて第１展開ローラ４４側に傾斜するように形成され、その長手方向の先端部が第１展開ローラ４４の長手方向の一端部を押圧するように構成されている。
【００４５】
また、この例では、第２押圧部５２は、押圧方向（この例では上下方向）に見た場合に第１展開ローラ４４の長手方向（この例では左右方向）に沿うように基台部５０から第１展開ローラ４４の長手方向の他端部（この例では左端部）へ向けて延伸する板状に形成され、その板面（この例では下面）が第１展開ローラ４４と対向するように配置されている。そして、第２押圧部５２は、基台部５０から第１展開ローラ４４の長手方向に他端部へ向けて第１展開ローラ４４側に傾斜するように形成され、その長手方向の先端部が第１展開ローラ４４の長手方向の他端部を押圧するように構成されている。
【００４６】
また、この例では、第１押圧部５１および第２押圧部５２の先端部には、半球状に形成された押さえ部５０ａが設けられている。第１押圧部５１の押さえ部５０ａは、第１押圧部５１の第１展開ローラ４４と対向する板面（この例では下面）に設けられ、第２押圧部５２の押さえ部５０ａは、第２押圧部５２の第１展開ローラ４４と対向する板面（この例では下面）に設けられている。また、第１押圧部５１および第２押圧部５２の先端部の角部が面取りされている。
【００４７】
〈支持部〉
第１支持部５３および第２支持部５４は、押圧方向に見た場合に基台部５０の幅方向（すなわち押圧方向に見た場合に第１押圧部５１および第２押圧部５２の延伸方向と直交する方向）の両隣に設けられて基台部５０の幅方向と直交する方向に沿うように延伸している。そして、第１支持部５３および第２支持部５４は、それぞれの長手方向の中央部が基台部５０に連結されている。
【００４８】
この例では、第１支持部５３は、押圧方向（この例では上下方向）に見た場合に基台部５０の幅方向の一方側（この例では後方）に設けられ、基台部５０の幅方向と直交する方向（この例では左右方向）に沿うように延伸する板状に形成されている。第２支持部５４は、押圧方向（この例では上下方向）に見た場合に基台部５０の幅方向の他方側（この例では前方）に設けられ、基台部５０の幅方向と直交する方向（この例では左右方向）に沿うように延伸する板状に形成されている。そして、第１支持部５３および第２支持部５４は、それぞれの板面が基台部５０の幅方向（この例では前後方向）において互いに対向するように、それぞれの長手方向（この例では左右方向）の中央部が基台部５０に連結されている。
【００４９】
また、この例では、第１支持部５３および第２支持部５４は、押圧方向に見た場合にそれぞれの長手方向の中央部が基台部５０の幅方向における外方へ張り出すように湾曲している。具体的には、第１支持部５３の長手方向（この例では左右方向）の中央部は、基台部５０の幅方向の一方側（この例では後方）に張り出している。第２支持部５４の長手方向の中央部は、基台部５の幅方向の他方側（この例では前方）に張り出している。
【００５０】
〔保持部〕
保持部７０は、第１側壁部７１と、第２側壁部７２と、複数の保持突出部（この例では第１保持突出部７３ａと第２保持突出部７３ｂと第３保持突出部７３ｃと第４保持突出部７３ｄ）と、複数の規制部（この例では第１規制部７４ａと第２規制部７４ｂと第３規制部７４ｃと第４規制部７４ｄ）とを有している。なお、以下の説明では、第１〜第４保持突出部７３ａ〜７３ｄの総称を「保持突出部７３」と記載し、第１〜第４規制部７４ａ〜７４ｄの総称を「規制部７４」と記載する。
【００５１】
〈側壁部〉
第１側壁部７１および第２側壁部７２は、それぞれの間に間隔をおいて対向するように設けられ、バネ部材４６の第１支持部５３および第２支持部５４の外方にそれぞれ位置するようにそれぞれの間（すなわち第１側壁部７１と第２側壁部７２との間）にバネ部材４６が配置される。具体的には、第１側壁部７１は、第１側壁部７１と第２側壁部７２との間に配置されたバネ部材４６の第１支持部５３の外方（この例では後方）に位置し、第２側壁部７２は、第１側壁部７１と第２側壁部７２との間に配置されたバネ部材４６の第２支持部５４の外方（この例では前方）に位置している。
【００５２】
また、第１側壁部７１および第２側壁部７２には、複数の補助開口（この例では第１補助開口７５ａと第２補助開口７５ｂと第３補助開口７５ｃと第４補助開口７５ｄ）が設けられている。なお、以下の説明では、第１〜第４補助開口７５ａ〜７５ｄを「補助開口７５」と記載する。
【００５３】
〈保持突出部〉
複数の保持突出部７３は、それぞれが押圧方向において第１側壁部７１および第２側壁部７２の間に配置されたバネ部材４６の第１支持部５３または第２支持部５４の後方に位置するように第１側壁部７１または第２側壁部７２に突設され、それぞれがバネ部材４６の押圧力に応じた反力により押圧方向の反対側（すなわち第１展開ローラ４４から離れる方向）に付勢されるバネ部材４６の第１支持部５３または第２支持部５４を受け止めてバネ部材４６を保持するように構成されている。
【００５４】
この例では、第１保持突出部７３ａは、押圧方向においてバネ部材４６の第１支持部５３の長手方向の一方側部分の後方（この例では第１支持部５３の右端部の上方）に位置するように第１側壁部７１に突設され、バネ部材４６の押圧力に応じた反力により押圧方向の反対側（この例では上方）に付勢されるバネ部材４６の第１支持部５３の長手方向の一方側部分を受け止めるように構成されている。第２保持突出部７３ｂは、押圧方向においてバネ部材４６の第１支持部５３の長手方向の他方側部分の後方（この例では第１支持部５３の左端部の上方）に位置するように第１側壁部７１に突設され、バネ部材４６の押圧力に応じた反力により押圧方向の反対側（この例では上方）に付勢されるバネ部材４６の第１支持部５３の長手方向の他方側部分を受け止めるように構成されている。
【００５５】
なお、第１支持部５３の長手方向の一方側部分とは、第１支持部５３の長手方向の中央部から第１支持部５３の長手方向の一端までの部分（この例では中央部から右端までの部分）のことであり、第１支持部５３の長手方向の他方側部分は、第１支持部５３の長手方向の中央部から第１支持部５３の長手方向の他端までの部分（この例では中央部から左端までの部分）のことである。
【００５６】
また、この例では、第３保持突出部７３ｃは、押圧方向においてバネ部材４６の第２支持部５４の長手方向の一方側部分の後方（この例では第２支持部５４の右端部の上方）に位置するように第２側壁部７２に突設され、バネ部材４６の押圧力に応じた反力により押圧方向の反対側（この例では上方）に付勢されるバネ部材４６の第２支持部５４の長手方向の一方側部分を受け止めるように構成されている。第４保持突出部７３ｄは、押圧方向においてバネ部材４６の第２支持部５４の長手方向の他方側部分の後方（この例では第２支持部５４の左端部の上方）に位置するように第２側壁部７２に突設され、バネ部材４６の押圧力に応じた反力により押圧方向の反対側（この例では上方）に付勢されるバネ部材４６の第２支持部５４の長手方向の他方側部分を受け止めるように構成されている。
【００５７】
なお、第２支持部５４の長手方向の一方側部分とは、第２支持部５４の長手方向の中央部から第２支持部５４の長手方向の一端までの部分（この例では中央部から右端までの部分）のことであり、第２支持部５４の長手方向の他方側部分は、第２支持部５４の長手方向の中央部から第２支持部５４の長手方向の他端までの部分（この例では中央部から左端までの部分）のことである。
【００５８】
《保持面と案内面》
この例では、複数の保持突出部７３の各々は、保持面７０１と、案内面７０２とを有している。保持面７０１は、押圧方向における保持突出部７３の前端部（この例では下端部）に設けられている。そして、保持面７０１は、押圧方向（この例では上下方向）と直交する平面状に形成され、バネ部材４６の押圧力に応じた反力により押圧方向の反対側（この例では上方）に付勢されるバネ部材４６の第１支持部５３（または第２支持部５４）と接触して第１支持部５３（または第２支持部５４）を受け止めるように構成されている。案内面７０２は、押圧方向における保持突出部７３の後端部（この例では上端部）に設けられている。そして、案内面７０２は、押圧方向の後方から前方（この例では上から下）へ向けて第１側壁部７１および第２側壁部７２の対向方向の内側（第１側壁部７１および第２側壁部７２の対向方向の中央に向かう方向）に傾斜する傾斜面状に形成されている。
【００５９】
〈規制部〉
複数の規制部７４は、それぞれが押圧方向において第１側壁部７１および第２側壁部７２の間に配置されたバネ部材４６の第１支持部５３または第２支持部５４の前方に設けられ、それぞれが押圧方向において所定の保持位置よりも前方に移動してきたバネ部材４６の第１支持部５３または第２支持部５４を受け止めてバネ部材４６の第１支持部５３または第２支持部５４の押圧方向への移動を規制するように構成されている。
【００６０】
この例では、第１規制部７４ａおよび第２規制部７４ｂは、押圧方向においてバネ部材４６の第１支持部５３の一方側部分および他方側部分の前方に位置するようにそれぞれ設けられている。第３規制部７４ｃおよび第４規制部７４ｄは、押圧方向においてバネ部材４６の第２支持部５４の一方側部分および他方側部分の前方に位置するようにそれぞれ設けられている。
【００６１】
第１規制部７４ａは、押圧方向においてバネ部材４６の第１支持部５３の長手方向の一方側部分の前方（この例では第１支持部５３の右端部の下方）に設けられ、押圧方向において所定の保持位置よりも前方（この例では下方）に移動してきたバネ部材４６の第１支持部５３の長手方向の一方側部分を受け止めてバネ部材４６の第１支持部５３の一方側部分の押圧方向への移動を規制するように構成されている。また、第１規制部７４ａは、押圧方向（この例では上下方向）において第１保持突出部７３ａと間隔をおいて対向している。
【００６２】
第２規制部７４ｂは、押圧方向においてバネ部材４６の第１支持部５３の長手方向の他方側部分の前方（この例では第１支持部５３の左端部の下方）に設けられ、押圧方向において所定の保持位置よりも前方（この例では下方）に移動してきたバネ部材４６の第１支持部５３の長手方向の他方側部分を受け止めてバネ部材４６の第１支持部５３の他方側部分の押圧方向への移動を規制するように構成されている。また、第２規制部７４ｂは、押圧方向（この例では上下方向）において第２保持突出部７３ｂと間隔をおいて対向している。
【００６３】
第３規制部７４ｃは、押圧方向においてバネ部材４６の第２支持部５４の長手方向の一方側部分の前方（この例では第２支持部５４の右端部の下方）に設けられ、押圧方向において所定の保持位置よりも前方（この例では下方）に移動してきたバネ部材４６の第２支持部５４の長手方向の一方側部分を受け止めてバネ部材４６の第２支持部５４の一方側部分の押圧方向への移動を規制するように構成されている。また、第３規制部７４ｃは、押圧方向（この例では上下方向）において第３保持突出部７３ｃと間隔をおいて対向している。
【００６４】
第４規制部７４ｄは、押圧方向においてバネ部材４６の第２支持部５４の長手方向の他方側部分の前方（この例では第２支持部５４の左端部の下方）に設けられ、押圧方向において所定の保持位置よりも前方（この例では下方）に移動してきたバネ部材４６の第２支持部５４の長手方向の他方側部分を受け止めてバネ部材４６の第２支持部５４の他方側部分の押圧方向への移動を規制するように構成されている。また、第４規制部７４ｄは、押圧方向（この例では上下方向）において第４保持突出部７３ｄと間隔をおいて対向している。
【００６５】
《規制面》
また、この例では、複数の規制部７４の各々は、規制面７０３を有している。規制面７０３は、押圧方向における規制部７４の後端部（この例では上端部）に設けられ、押圧方向（この例では上下方向）と直交する平面状に形成され、押圧方向において所定の保持位置よりも前方（この例では下方）に移動してきたバネ部材４６の第１支持部５３（または第２支持部５４）と接触してバネ部材４６の第１支持部５３（または第２支持部５４）を受け止めるように構成されている。
【００６６】
《補助規制部》
また、この例では、第１規制部７４ａと第２規制部７４ｂとの間に第１補助規制部８１が設けられ、第３規制部７４ｃと第４規制部７４ｄとの間に第２補助規制部８２が設けられている。
【００６７】
第１補助規制部８１は、第１側壁部７１および第２側壁部７２の間に配置されたバネ部材４６の第１支持部５３の押圧方向における前方に設けられ、所定の保持位置よりも押圧方向における前方に移動してきたバネ部材４６の第１支持部５３を補助的に受け止めてバネ部材４６の第１支持部５３の押圧方向への移動を補助的に規制するように構成されている。この例では、第１補助規制部８１は、押圧方向においてバネ部材４６の第１支持部５３の前方（この例では第１支持部５３の下方）に位置するように第１側壁部７１に設けられ、バネ部材４６の第１支持部５３の長手方向と平行な方向に沿うように延伸している。
【００６８】
第２補助規制部８２は、第１側壁部７１および第２側壁部７２の間に配置されたバネ部材４６の第２支持部５４の押圧方向における前方に設けられ、所定の保持位置よりも押圧方向における前方に移動してきたバネ部材４６の第２支持部５４を補助的に受け止めてバネ部材４６の第２支持部５４の押圧方向への移動を補助的に規制するように構成されている。この例では、第２補助規制部８２は、押圧方向においてバネ部材４６の第２支持部５４の前方（この例では第２支持部５４の下方）に位置するように第２側壁部７２に設けられ、バネ部材４６の第２支持部５４の長手方向と平行な方向に沿うように延伸している。
【００６９】
〈補助開口〉
複数の補助開口７５は、それぞれが第１側壁部７１および第２側壁部７２の間に配置されたバネ部材４６の第１支持部５３または第２支持部５４の長手方向の端部に対応する位置に形成されている。また、補助開口７５は、第１側壁部７１または第２側壁部７２を第１側壁部７１と第２側壁部７２の対向方向（この例では前後方向）に貫通してバネ部材４６の第１支持部５３または第２支持部５４の長手方向の端部を露出させている。
【００７０】
この例では、第１補助開口７５ａは、第１側壁部７１に設けられ、バネ部材４６の第１支持部５３の長手方向の一端部（この例では右端部）に対応する位置に形成されている。また、第１補助開口７５ａは、第１保持突出部７３ａと第１規制部７４ａとの間に位置している。
【００７１】
第２補助開口７５ｂは、第１側壁部７１に設けられ、バネ部材４６の第１支持部５３の長手方向の他端部（この例では左端部）に対応する位置に形成されている。また、第２補助開口７５ｂは、第２保持突出部７３ｂと第２規制部７４ｂとの間に位置している。
【００７２】
第３補助開口７５ｃは、第２側壁部７２に設けられ、バネ部材４６の第２支持部５４の長手方向の一端部（この例では右端部）に対応する位置に形成されている。また、第３補助開口７５ｃは、第３保持突出部７３ｃと第３規制部７４ｃとの間に位置している。
【００７３】
第４補助開口７５ｄは、第２側壁部７２に設けられ、バネ部材４６の第２支持部５４の長手方向の他端部（この例では左端部）に対応する位置に形成されている。また、第４補助開口７５ｄは、第４保持突出部７３ｄと第４規制部７４ｄとの間に位置している。
【００７４】
〔スペーサ〕
スペーサ４７は、第１展開ローラ４４と第２展開ローラ４５との間に設けられ、第１展開ローラ４４と第２展開ローラ４５との間隔の最小値を予め定められた間隔にするように構成されている。
【００７５】
〔押さえ部材〕
２つの押さえ部材４８のうち一方の押さえ部材４８は、第１展開ローラ４４の長手方向の一端部（この例では右端部）とバネ部材４６の第１押圧部５１の先端部との間に設けられ、他方の押さえ部材４８は、第１展開ローラ４４の長手方向の他端部（この例では左端部）とバネ部材４６の第２押圧部５２の先端部との間に設けられている。
【００７６】
２つの押さえ部材４８は、バネ部材４６の第１押圧部５１および第２押圧部５２による押圧力を第１展開ローラ４４の長手方向の両端部に伝達するように構成されている。具体的には、２つの押さえ部材４８は、第１展開ローラ４４の長手方向の両端部にそれぞれ摺接するように構成されている。また、押圧方向においてバネ部材４６の第１押圧部５１および第２押圧部５２と対向する２つの押さえ部材４８の対向面（この例では上面）には、第１押圧部５１および第２押圧部５２の先端部に設けられた押さえ部５０ａを受ける溝部４８ａが形成されている。
【００７７】
〔バネ部材の取り付け動作〕
次に、バネ部材４６の取り付け動作（バネ部材４６を保持部７０に取り付ける動作）について説明する。
【００７８】
まず、バネ部材４６の第１支持部５３および第２支持部５４を複数の保持突出部７３の案内面７０２に押し当てる。具体的には、第１支持部５３の長手方向の一方側部分と他方側部分を第１保持突出部７３ａの案内面７０２と第２保持突出部７３ｂの案内面７０２にそれぞれ押し当て、第２支持部５４の長手方向の一方側部分と他方側部分を第３保持突出部７３ｃの案内面７０２と第４保持突出部７３ｄの案内面７０２にそれぞれ押し当てる。これにより、バネ部材４６を押圧方向（すなわち第１展開ローラ４４に近づく方向、この例では上から下へ向かう方向）に進ませるに連れて、バネ部材４６の第１支持部５３の長手方向の両端部と第２支持部５４の長手方向の両端部とがそれぞれ内側（第１側壁部７１と第２側壁部７２の対向方向の内側）へ向けて次第に撓んでいき、バネ部材４６の第１支持部５３および第２支持部５４の長手方向の一方側部分および他方側部分がそれぞれ保持突出部７３よりも内側に位置するようになる。
【００７９】
そして、バネ部材４６の第１支持部５３の長手方向の一方側部分（または他方側部分）が第１保持突出部７３ａ（または第２保持突出部７３ｂ）を通過すると、第１支持部５３の復元力により第１支持部５３の長手方向の一方側部分（または他方側部分）が第１側壁部７１側に付勢されて撓みが解除され、第１保持突出部７３ａ（または第２保持突出部７３ｂ）の保持面７０１（この例では下面）の押圧方向における前方（この例では下方）に位置するようになる。これと同様に、バネ部材４６の第２支持部５４の長手方向の一方側部分（または他方側部分）が第３保持突出部７３ｃ（または第４保持突出部７３ｄ）を通過すると、第２支持部５４の復元力により第２支持部５４の長手方向の一方側部分（または他方側部分）が第２側壁部７２側に付勢されて撓みが解除され、第３保持突出部７３ｃ（または第４保持突出部７３ｄ）の保持面７０１（この例では下面）の押圧方向における前方（この例では下方）に位置するようになる。
【００８０】
また、バネ部材４６を押圧方向に進ませるに連れて、バネ部材４６の第１押圧部５１および第２押圧部５２による第１展開ローラ４４の押圧力（バネ部材４６から第１展開ローラ４４に作用する力）が次第に強くなり、その押圧力に応じた反力（第１展開ローラ４４からバネ部材４６に作用する力）も次第に強くなっていく。この反力によってバネ部材４６の第１支持部５３および第２支持部５４が複数の保持突出部７３の保持面７０１（この例では下面）に押し付けられ、バネ部材４６が所定の姿勢に保持される。具体的には、バネ部材４６の第１支持部５３の長手方向の一方側部分と他方側部分が第１保持突出部７３ａの保持面７０１と第２保持突出部７３ｂの保持面７０１にそれぞれ押し付けられ、バネ部材４６の第２支持部５４の長手方向の一方側部分と他方側部分が第３保持突出部７３ｃの保持面７０１と第４保持突出部７３ｄの保持面７０１にそれぞれ押し付けられる。
【００８１】
また、バネ部材４６の第１支持部５３および第２支持部５４が複数の保持突出部７３を通過した後にバネ部材４６を押圧方向にさらに押し進めて、バネ部材４６が所定の保持位置よりも押圧方向における前方（この例では下方）に移動すると、バネ部材６４の第１支持部５３および第２支持部５４が複数の規制部７４に接触する。具体的には、第１支持部５３の長手方向の一方側部分と他方側部分が第１規制部７４ａの規制面７０３と第２規制部７４ｂの規制面７０３にそれぞれ接触し、第２支持部５４の長手方向の一方側部分と他方側部分が第３規制部７４ｃの規制面７０３と第４規制部７４ｄの規制面７０３にそれぞれ接触する。これにより、バネ部材４６の押圧方向への移動が規制される。
【００８２】
〔バネ部材の取り外し動作〕
次に、バネ部材４６の取り外し動作（保持部７０からバネ部材４６を取り外す動作）について説明する。
【００８３】
まず、棒状の治具などの押圧部材を補助開口７５に挿入してバネ部材４６の第１支持部５３および第２支持部５４の長手方向の端部を内側（第１側壁部７１と第２側壁部７２の対向方向の内側）に押圧し、バネ部材４６の第１支持部５３および第２支持部５４の長手方向の一方側部分および他方側部分がそれぞれ保持突出部７３よりも内側に位置するようにバネ部材４６の第１支持部５３および第２支持部５４の長手方向の端部を内側に撓ませる。具体的には、第１補助開口７５ａと第２補助開口７５ｂに押圧部材をそれぞれ挿入してバネ部材４６の第１支持部５３の長手方向の一端部と他端部を内側に押圧し、第１支持部５３の長手方向の一方側部分と他方側部分がそれぞれ第１保持突出部７３ａと第２保持突出部７３ｂよりも内側に位置するように第１支持部５３の長手方向の一端部と他端部を内側に撓ませる。これと同様に、第３補助開口７５ｃと第４補助開口７５ｄに押圧部材をそれぞれ挿入してバネ部材４６の第２支持部５４の長手方向の一端部と他端部を内側に押圧し、第２支持部５４の長手方向の一方側部分と他方側部分がそれぞれ第３保持突出部７３ｃと第４保持突出部７３ｄよりも内側に位置するように第２支持部５４の長手方向の一端部と他端部を内側に撓ませる。
【００８４】
そして、バネ部材４６の第１支持部５３および第２支持部５４の長手方向の一方側部分および他方側部分がそれぞれ保持突出部７３よりも内側に位置するようにバネ部材４６の第１支持部５３の長手方向の両端部と第２支持部５４の長手方向の両端部とを内側に撓ませた状態で、バネ部材４６を押圧方向の反対側（すなわち第１展開ローラ４４から離れる方向、この例では下から上へ向かう方向）に引き抜く。これにより、バネ部材４６が取り出される。
【００８５】
〔バネ部材の比較例〕
次に、図１１を参照して、フランジ部が設けられたバネ部材９０（バネ部材の比較例）について説明する。バネ部材９０は、第１支持部５３および第２支持部５４に代えて、図１１に示した第１支持部９３および第２支持部９４を有している。第１支持部９３の長手方向の両端部には、フランジ部９３ａが設けられ、第２支持部９４の長手方向の両端部には、フランジ部９４ａが設けられている。フランジ部９３ａは、その板面が押圧方向（この例では上下方向）と直交する平板状に形成され、第１支持部９３の長手方向と直交する方向において第１支持部９３の長手方向の端部から外方へ向けて突出している。フランジ部９４ａは、その板面が押圧方向（この例では上下方向）と直交する平板状に形成され、第２支持部９４の長手方向と直交する方向において第２支持部９４の長手方向の端部から外方へ向けて突出している。なお、バネ部材９０のその他の構成は、バネ部材４６の構成と同様となっている。すなわち、このバネ部材９０（バネ部材の比較例）は、特許文献１の図８に示されたバネ部材（バネと２つの保持部材との組合せ）に対応している。
【００８６】
このバネ部材９０を第１側壁部７１と第２側壁部７２との間に保持する場合、第１支持部９３の長手方向の両端部にそれぞれ設けられた２つのフランジ部９３ａを第１側壁部７１に設けられた２つの開口（図示を省略）にそれぞれ挿入し、第２支持部９４の長手方向の両端部にそれぞれ設けられた２つのフランジ部９４ａを第２側壁部７２に設けられた２つの開口（図示を省略）にそれぞれ挿入することになる。
【００８７】
しかしながら、上記のような構成（バネ部材の比較例）では、バネ部材９０に設けられたフランジ部９３ａの屈曲量（第１支持部９３とフランジ部９３ａとの間の角度）またはフランジ部９４ａの屈曲量（第２支持部９４とフランジ部９４ａとの間の角度）が変化してバネ部材９０を所定の姿勢に維持することが困難となる可能性がある。例えば、画像形成装置１０のメンテナンスなどの目的のためにバネ部材９０の取り外し動作（または取り付け動作）を行う際に、バネ部材９０に設けられたフランジ部９３ａ，９４ａが変形してフランジ部９３ａ，９４ａの屈曲量が変化すると、バネ部材９０が第１展開ローラ４４に対して傾いた状態（所定の姿勢からずれた姿勢）で保持され、その結果、適切な押圧力を得ることができない可能性がある。
【００８８】
〔実施形態による効果〕
この実施形態による画像形成装置１０では、バネ部材４６にフランジ部を設ける代わりに、保持部７０に複数の保持突出部７３（第１〜第４保持突出部７３ａ〜７３ｄ）が設けられている。このように、複数の保持突出部７３を設けることにより、バネ部材４６の押圧力に応じた反力により押圧方向の反対側に付勢されるバネ部材４６の第１支持部５３および第２支持部５４を複数の保持突出部７３に受け止めさせて、バネ部材４６を所定の姿勢に保持することができる。これにより、バネ部材４６にフランジ部を設けることなく、バネ部材４６を所定の姿勢に保持することができる。そのため、フランジ部の屈曲量の変化によるバネ部材の姿勢ずれが発生しなくなるので、適切な押圧力を維持することができる。
【００８９】
また、複数の保持突出部７３（第１〜第４保持突出部７３ａ〜７３ｄ）に案内面７０２を設けることにより、バネ部材４６の取り付け動作（バネ部材４６を保持部７０に取り付ける動作）においてバネ部材４６の第１支持部５３および第２支持部５４を複数の保持突出部７３の案内面７０２に押し当てながらバネ部材４６を押圧方向に進ませて、バネ部材４６の第１支持部５３および第２支持部５４の長手方向の両端部を内側（第１側壁部７１および第２側壁部７２の対向方向の内側）に撓ませることができる。これにより、バネ部材４６の取り付け動作を容易に行うことができる。
【００９０】
また、複数の規制部７４（第１〜第４規制部７４ａ〜７４ｄ）を設けることにより、バネ部材４６の取り付け動作において所定の保持位置よりも押圧方向における前方に移動するバネ部材４６の第１支持部５３および第２支持部５４を複数の規制部７４に受け止めさせて、バネ部材４６の押圧方向への過剰な押し込みを防止することができる。これにより、バネ部材４６の押圧方向への過剰な押し込みによるバネ部材４６の塑性変形を防止することができる。
【００９１】
また、複数の規制部７４（第１〜第４規制部７４ａ〜７４ｄ）を設けることにより、インスタントフィルム２０の搬送中（すなわち第１展開ローラ４４および第２展開ローラ４５の回転中）においてバネ部材４６の第１支持部５３および第２支持部５４の長手方向の一方側部分（または他方側部分）が所定の保持位置よりも押圧方向における前方に移動する方向にバネ部材４６が傾いた場合に、所定の保持位置よりも押圧方向における前方に移動するバネ部材４６の第１支持部５３および第２支持部５４の長手方向の一方側部分（または他方側部分）を第１規制部７４ａおよび第３規制部７４ｃ（または第２規制部７４ｂおよび第４規制部７４ｄ）に受け止めさせて、バネ部材４６の過剰な傾きを防止することができる。これにより、インスタントフィルム２０の搬送中におけるバネ部材４６の姿勢の乱れを低減することができ、バネ部材４６の姿勢の乱れによるバネ部材４６の押圧力の変動を低減することができる。
【００９２】
また、第１側壁部７１と第２側壁部７２に複数の補助開口７５を設けることにより、バネ部材４６の取り外し動作（保持部７０からバネ部材４６を取り外す動作）において棒状の治具などの押圧部材を補助開口７５に挿入してバネ部材４６の第１支持部５３および第２支持部５４の長手方向の端部を内側（第１側壁部７１と第２側壁部７２の対向方向の内側）に押圧することができる。これにより、バネ部材４６の第１支持部５３および第２支持部５４の長手方向における一方側部分および他方側部分が保持突出部７３よりもそれぞれ内側に位置するようにバネ部材４６の第１支持部５３および第２支持部５４の長手方向の端部を内側に撓ませることができる。そのため、バネ部材４６の取り外し動作を容易に行うことができる。
【００９３】
（その他の実施形態）
以上の説明では、画像形成装置１０がプリンタを構成している場合を例に挙げたが、画像形成装置１０は、プリンタに限らず、例えば、カメラに搭載されていてもよい。
【００９４】
また、以上の説明では、第１展開ローラ４４，第２展開ローラ４５，展開側バネ部材４６，展開側保持部７０の構成を例に挙げて説明したが、第１搬送ローラ４１，第２搬送ローラ４２，搬送側バネ部材４３，搬送側保持部６０についても同様のことがいえる。すなわち、第１搬送ローラ４１，第２搬送ローラ４２，搬送側バネ部材４３，搬送側保持部６０は、第１展開ローラ４４，第２展開ローラ４５，展開側バネ部材４６，展開側保持部７０と同様の構成を有していてもよい。
【００９５】
また、以上の説明では、第１保持突出部７３ａがバネ部材４６の第１支持部５３の一端部の押圧方向における後方（この例では第１支持部５３の右端部の上方）に設けられている場合を例に挙げたが、これに限らず、第１保持突出部７３ａは、バネ部材４６の第１支持部５３の一方側部分（第１支持部５３の長手方向の中央部から第１支持部５３の長手方向の一端までの部分）のうち一端部とは異なる部分（例えば長手方向の一端部よりも中央部寄りの部分）の押圧方向における後方に設けられていてもよい。第２，第３，第４保持突出部７３ｂ，７３ｃ，７３ｄについても同様である。
【００９６】
また、以上の説明では、第１規制部７４ａがバネ部材４６の第１支持部５３の一端部の押圧方向における前方（この例では第１支持部５３の右端部の下方）に設けられている場合を例に挙げたが、これに限らず、第１規制部７４ａは、バネ部材４６の第１支持部５３の一方側部分のうち一端部とは異なる部分（例えば長手方向の一端部よりも中央部寄りの部分）の押圧方向における前方に設けられていてもよい。第２，第３，第４規制部７４ｂ，７４ｃ，７４ｄについても同様である。
【００９７】
また、以上の実施形態を適宜組み合わせて実施してもよい。以上の実施形態は、本質的に好ましい例示であって、ここに開示する技術、その適用物、あるいはその用途の範囲を制限することを意図するものではない。
【産業上の利用可能性】
【００９８】
以上説明したように、ここに開示する技術は、画像形成装置として有用である。
【符号の説明】
【００９９】
１０          画像形成装置
１１          本体部
１２          蓋部
１３          ヒンジ部
１６          収納室
１６ａ        連通口
１７          機構保持部
１８          送出口
１９          押出部材
２０          インスタントフィルム
３０          フィルムカセット
３１          繰出口
４０          画像形成機構
４１          第１搬送ローラ
４２          第２搬送ローラ
４３          搬送側バネ部材
４４          第１展開ローラ（第１ローラ）
４５          第２展開ローラ（第２ローラ）
４６          展開側バネ部材（バネ部材）
４７          スペーサ
４８          押さえ部材
５０          基台部
５１          第１押圧部
５２          第２押圧部
５３          第１支持部
５４          第２支持部
６０          搬送側保持部
７０          展開側保持部（保持部）
７１          第１側壁部
７２          第２側壁部
７３ａ        第１保持突出部
７３ｂ        第２保持突出部
７３ｃ        第３保持突出部
７３ｄ        第４保持突出部
７４ａ        第１規制部
７４ｂ        第２規制部
７４ｃ        第３規制部
７４ｄ        第４規制部
７５ａ        第１開口
７５ｂ        第２開口
７５ｃ        第３開口
７５ｄ        第４開口
７０１        保持面
７０２        案内面
７０３        規制面
【図１】
2018180121.tif 000003
【図２】
2018180121.tif 000004
【図３】
2018180121.tif 000005
【図４】
2018180121.tif 000006
【図５】
2018180121.tif 000007
【図６】
2018180121.tif 000008
【図７】
2018180121.tif 000009
【図８】
2018180121.tif 000010
【図９】
2018180121.tif 000011
【図１０】
2018180121.tif 000012
【図１１】
2018180121.tif 000013